(57)【要約】【課題】カードの一方の側部を案内する第１ガイド部の長さ寸法に比べて、カードの他方の側部を案内する第２ガイド部の長さ寸法を短く設定した場合でも、所定の装着部に装着されたカードを傾きを生じることなく円滑に排出させることができる。【解決手段】カード１，２の一方の側部１ｅ，２ｇを案内する第１ガイド部７と、カード１，２の他方の側部１ｆ，２ｈを案内する第２ガイド部８と、カード１，２の前端部１ｃ，２ｃに当接する当接部１０ａを有する排出部材１０と、カード１，２の接触部１ｄ，２ｄが接続される複数の接続端子６ａを含む接続部６を備えると共に、第２ガイド部８の長さ寸法を第１ガイド部７の長さ寸法よりも短く設定し、排出部材１０の当接部１０ａが、接続部６の中央位置１２から第２ガイド部８までの領域Ｓにおいてカード１，２の前端部１ｃ，２ｃに当接するように排出部材１０を配置した。【選択図】図３
2005268182.tif 000002
【特許請求の範囲】
【請求項１】
カードの一方の側部を案内する第１ガイド部と、上記カードの他方の側部を案内する第２ガイド部と、所定の装着部に装着された上記カードの装置奥側に位置する前端部に当接する当接部を有し、上記カードを排出させる排出部材と、上記カードの接触部が接続される接続部とを備え、上記第１ガイド部及び第２ガイド部を、上記装置奥側から上記カードの挿入口側へ向って延設させると共に、
上記第２ガイド部の長さ寸法を、上記第１ガイド部の長さ寸法よりも短く設定し、
上記排出部材の上記当接部が、上記接続部の中央位置から上記第２ガイド部までの領域において上記カードの上記前端部に当接するように、上記排出部材を配置したことを特徴とするカード用コネクタ装置。
【請求項２】
上記請求項１記載の発明において、
上記第１ガイド部と上記第２ガイド部との間隔寸法に比べて上記カードの上記挿入口の幅寸法を大きく設定したことを特徴とするカード用コネクタ装置。
【請求項３】
上記請求項２記載の発明において、
幅寸法が上記間隔寸法に略等しい長方形から成る第１カードと、この第１カードと形状寸法の等しい基体部、及びこの基体部から横方向に張り出し形成される張出し部を含む第２カードのいずれかを選択的に収納可能なカード収納部を備え、
上記基体部の幅寸法と上記張出し部の幅寸法とを加えた幅寸法に略等しくなるように、上記カードの上記挿入口の幅寸法を設定したことを特徴とするカード用コネクタ装置。
【請求項４】
上記請求項３記載の発明において、
上記排出部材の上記当接部が、上記第２カードの略中央の部分に当接するように上記排出部材を配置したことを特徴とするカード用コネクタ装置。
【請求項５】
上記請求項１記載の発明において、
上記排出部材の上記当接部が、上記第２ガイド部の近傍に位置する上記カードの上記前端部の部分に当接するように上記排出部材を配置したことを特徴とするカード用コネクタ装置。
【請求項６】
上記請求項１記載の発明において、
上記排出部材の上記当接部の上記カードの上記前端部に対向する面の形状を、曲面に設定したことを特徴とするカード用コネクタ装置。
【発明の詳細な説明】
【技術分野】
【０００１】
本発明は、カードの両側部を案内する第１ガイド部、第２ガイド部と、所定の装着部に装着されたカードを排出させる排出部材とを有するカード用コネクタ装置に関する。
【背景技術】
【０００２】
この種の従来技術として、例えば特許文献１に記載の技術がある。この従来技術は、ＩＣカード等のカードの一方の側部を案内する第１ガイド部と、上記カードの他方の側部を案内する第２ガイド部とを備えている。これらの第１ガイド部と第２ガイド部とは同じ長さ寸法に設定され、それぞれ装置奥側からカードの挿入口側へ向って延設されている。また、所定の装着部に装着されたカードの装置奥側に位置する前端部に当接する当接部を有し、カードを排出させるアーム、すなわち排出部材を備えている。この排出部材は支軸を構成するピン部材を中心に回動可能になっている。すなわち、押込み杆が係合するこの排出部材の操作部に与えられる押し込み力によって排出部材が回動し、上述の当接部がカードの前端部を押圧して、この所定の装着部に装着されたカードを排出させるようになっている。特許文献２にも同様の構成が示されている。
【０００３】
上述した特許文献１，２に示される従来技術は、カードの両側部を案内する第１ガイド部、第２ガイド部の長さ寸法が同じに設定されているので、排出部材を、その当接部がカードの前端部のいずれの部分に当接するように配置しても、所定の装着部に装着されたカードを円滑に挿入口方向へ排出させることができる。
【０００４】
ところで、上述した第１ガイド部と第２ガイド部の長さ寸法を異ならせたい場合がある。例えば、基本形状が長方形の第１カードを、第１ガイド部及び第２ガイド部によって案内させて、この第１カードの所定の装着部への装着、及び所定の装着部からの排出を可能にさせると共に、この第１カードの形状寸法に加えて横方向に張出し部を形成させた異形の第２カードの装着及び排出も可能にさせたいという要望がある。このような場合には、第１ガイド部と第２ガイド部の長さ寸法を異ならせるように構成することが考えられる。
【０００５】
図１３は従来技術から考えられるカード用コネクタ装置の構成を示す平面図である。この図１３に示すカード用コネクタ装置は、上述した第１カード、第２カードの挿入を可能にさせるものである。本体を形成するハウジング２０の内部にカード収納部２１が形成され、挿入口２３から挿入された長方形の第１カード、すなわちカード２２が所定の装着部に装着されるようになっている。ハウジング２０には、カード２２の一方の側部を案内する第１ガイド部２４と、カード２２の他方の側部を案内する第２ガイド部２５とを備えている。第１ガイド部２４、及び第２ガイド部２５は、装置奥側からカード２２の挿入口２３側へ向かって延設されるが、第２ガイド部２５の長さ寸法は、第１ガイド部２４の長さ寸法よりも短く設定されている。
【０００６】
装置奥側には、カード２２の図示しない接触部と接続される複数の接続端子２６ａが含まれる接続部２６が形成されており、この接続部２６の付近に、支軸２７を中心に回動し、カード２２の前端部２２ａに当接する当接部２８ａを有し、カード２２及び図示しない第２カードを排出させる排出部材２８が配置されている。
【特許文献１】特開平８−１０６９４７号公報
【特許文献２】特開２０００−３１１７４５公報
【発明の開示】
【発明が解決しようとする課題】
【０００７】
図１４は図１３に示すカード用コネクタ装置における不具合点を説明する図である。特許文献１，２に記載の技術から考えられる図１３に示すカード用コネクタ装置にあっては、第２ガイド部２５の長さ寸法が第１ガイド部２４の長さ寸法よりも短く設定されることから、長方形のカード２２を排出する際に、図１４に示すように、排出部材２２の当接部２８ａの押圧力によって、カード２２が傾き、円滑にカード２２を排出させられなくなる虞がある。
【０００８】
本発明は、上述した従来技術における実状からなされたもので、その目的は、カードの一方の側部を案内する第１ガイド部の長さ寸法に比べて、カードの他方の側部を案内する第２ガイド部の長さ寸法を短く設定した場合でも、所定の装着部に装着されたカードを傾きを生じることなく円滑に排出させることができるカード用コネクタ装置を提供することにある。
【課題を解決するための手段】
【０００９】
上記目的を達成するために、本発明は、カードの一方の側部を案内する第１ガイド部と、上記カードの他方の側部を案内する第２ガイド部と、所定の装着部に装着された上記カードの装置奥側に位置する前端部に当接する当接部を有し、上記カードを排出させる排出部材と、上記カードの接触部が接続される接続部とを備え、上記第１ガイド部及び第２ガイド部を、上記装置奥側から上記カードの挿入口側へ向って延設させると共に、上記第２ガイド部の長さ寸法を、上記第１ガイド部の長さ寸法よりも短く設定し、上記排出部材の上記当接部が、上記接続部の中央位置から上記第２ガイド部までの領域において上記カードの上記前端部に当接するように、上記排出部材を配置したことを特徴としている。
【００１０】
このように構成した本発明は、所定の装着部に装着されたカードの排出時に、排出部材の当接部がカードの前端部を押圧した際、その押圧点は、接続端子が含まれる接続部の中央位置から第２ガイド部までの領域内に位置するので、排出部材の当接部の押圧力によってカードが長さ寸法の長い第１ガイド部に押し付けられる。これにより、カードは主に第１ガイド部に案内されて、傾きを生じることなく円滑に挿入口方向に排出される。
【００１１】
また本発明は、上記発明において、上記第１ガイド部と上記第２ガイド部との間隔寸法に比べて上記カードの上記挿入口の幅寸法を大きく設定したことを特徴としている。
【００１２】
また本発明は、上記発明において、幅寸法が上記間隔寸法に略等しい長方形から成る第１カードと、この第１カードと形状寸法の等しい基体部、及びこの基体部から横方向に張り出し形成される張出し部を含む第２カードのいずれかを選択的に収納可能なカード収納部を備え、上記基体部の幅寸法と上記張出し部の幅寸法とを加えた幅寸法に略等しくなるように、上記カードの上記挿入口の幅寸法を設定したことを特徴としている。
【００１３】
このように構成した本発明は、互いに形状寸法の異なる第１カードと第２カードを、選択的に所定の装着部に装着させることができ、信号処理機能を向上させることができる。
【００１４】
また本発明は、上記発明において、上記排出部材の上記当接部が、上記第２カードの略中央の部分に当接するように上記排出部材を配置したことを特徴としている。
【００１５】
また本発明は、上記発明において、上記排出部材の上記当接部が、上記第２ガイド部の近傍に位置する上記カードの上記前端部の部分に当接するように上記排出部材を配置したことを特徴としている。
【００１６】
また本発明は、上記発明において、上記排出部材の上記当接部の上記カードの上記前端部に対向する面の形状を、曲面に設定したことを特徴としている。
【００１７】
このように構成した本発明は、当接部の曲面の形状寸法を適宜に設定することにより、カード排出時に、当接部とカードとの接触点を徐々に移動させることができる。これにより、例えばカード排出時の当接部がカードの前端部に与える押圧力を大きく設定することができ、優れた排出性能が得られる。
【発明の効果】
【００１８】
本発明は、第２ガイド部の長さ寸法を第１ガイド部の長さ寸法よりも短く設定すると共に、排出部材の当接部が、接続部の中央位置から第２ガイド部までの領域においてカードの前端部に当接するように排出部材を配置したことから、所定の装着部に装着されたカードを排出する際に、排出部材の当接部の押圧力によってカードを長さ寸法の長い第１ガイド部に押し付けることができる。これにより、第１ガイド部に案内されたカードを傾きを生じることなく円滑に挿入口方向に排出させることができる。すなわち、第１ガイド部よりも長さ寸法の短い第２ガイド部を有するものにあって、優れたカード排出性能を確保でき、信頼性の高い装置を実現できる。
【発明を実施するための最良の形態】
【００１９】
以下，本発明に係るカード用コネクタ装置を実施するための最良の形態を図に基づいて説明する。
【００２０】
［本発明の実施形態で使用される第１カード］
図１は本発明のカード用コネクタ装置の実施形態に使用される第１カードの説明図で、（ａ）図は平面図、（ｂ）図は側面図、（ｃ）図は背面図、（ｄ）図は要部側断面図である。
【００２１】
この図１に示す第１カード１は、ＩＣカード等から成り、全体形状を長方形に形成してある。この第１カード１の上面１ａと下面１ｂ間の厚さ寸法はｔ、幅寸法はＬ１に設定してある。この第１カード１を後述する本発明の実施形態に係るカード用コネクタ装置の所定の装着部に装着させた際に、装置奥側に位置する前端部１ｃ側には、開口部が形成され、この開口部に電気接続に活用される接触部１ｄを臨ませてある。１ｅ，１ｆは、それぞれ第１カード１の一方の側部、他方の側部である。
【００２２】
［本発明の実施形態で使用される第２カード］
図２は本発明の実施形態に使用される第２カードの説明図で、（ａ）図は平面図、（ｂ）図は側面図、（ｃ）図は背面図、（ｄ）図は要部側断面図である。
【００２３】
この図２に示す第２カード２も、ＩＣカード等から成り、全体形状が前述した第１カード１の寸法形状と同等の基体部２ｅ、及びこの基体部２ｅから横方向に張り出し形成された張出し部２ｆを含む形状に設定されている。この第２カード２は、第１カード１に比べて大きな情報記憶容量を確保できる。この第２カード２の上面２ａと下面２ｂ間の厚さ寸法は、例えば前述した第１カード１と同等の厚さ寸法ｔに設定してある。幅寸法は、この第２カード２を本発明の実施形態に係るカード用コネクタ装置の所定の装着部に装着させた際に、装置奥側に位置する基体部２ｅの部分が、第１カード１の幅寸法と同等の幅寸法Ｌ１であり、上述の所定の装着部に装着させた際に、装置の挿入口側に位置する部分が、基体部２ｅと張出し部２ｆとの幅寸法を加えた寸法である幅寸法Ｌ２となっている。この第２カード２の前端部２ｃ、すなわち基体部２ｅの前端部２ｃ側に、開口部が形成され、この開口部に電気接続に活用される複数の接触部２ｄを臨ませてある。２ｇは第２カード２の一方の側部、２ｈ，２ｉは他方の側部である。このうち、２ｈは基体部２ｅの側部であり、２ｉは張出し部２ｆの側部である。
【００２４】
［本発明の第１実施形態の構成］
図３は本発明のカード用コネクタ装置の第１実施形態を示す図で、（ａ）図は平面図、（ｂ）図は正面図である。
【００２５】
この図３に示すように、第１実施形態は、本体を構成するハウジング３内に前述の第１カード１、第２カード２のいずれかを選択的に収納可能な形状寸法に設定されたカード収納部４を備えている。このカード収納部４の一方の側部には、装置奥側から第１カード１、第２カード２が挿入される挿入口５側へ向って延設された長さ寸法Ｌ３の第１ガイド部７、すなわち第１カード１の一方の側部１ｅ、第２カード２の一方の側部２ｇを案内する第１ガイド部７を形成してある。カード収納部４の他方の側部には、装置奥側から挿入口５側へ向かって延設され、上述の第１ガイド部７の長さ寸法よりも短く設定した長さ寸法Ｌ４の第２ガイド部８、すなわち第１カード１の他方の側部１ｆ、第２カード２の他方の側部２ｈを案内する第２ガイド部８を形成してある。さらに、この第２ガイド部８と挿入口５との間には、第２カード２の他方の側部２ｉを案内する第３ガイド部９を形成してある。
【００２６】
上述した第１ガイド部７と第２ガイド部８の間隔寸法Ｓ１は第１カード１の幅寸法Ｌ１、及び第２カード２の基体部２ｅの幅寸法Ｌ１と略同等に設定してある。挿入口５の幅寸法Ｓ２は、第２カード２の全体の幅寸法Ｌ２と略同等に設定してある。
【００２７】
カード収納部４の装置奥側位置には、第１カード１の接触部１ｄ、第２カード２の接触部２ｄのそれぞれが接続される複数の接続端子６ａを有する接続部６を配置してある。
【００２８】
また、装置奥側位置には、カード収納部４に収納され、所定の装着部に装着された第１カード１、第２カード２を排出させる排出部材１０を配置してある。この排出部材１０は、例えば支軸１１に回動可能に取付けられており、所定の装着部に装着された第１カード１の前端部１ｃ、第２カード２の前端部２ｃに当接する当接部１０ａと、図示しない操作手段に係合する操作部１０ｂとを備えている。
【００２９】
この第１実施形態は特に、上述した排出部材１０の当接部１０ａが、接続部６の中央位置１２から第２ガイド部８までの領域Ｓにおいて第１カード１の前端部１ｃ、第２カード２の前端部２ｃに当接するように、排出部材１０を配置してある。排出部材１０は、操作部１０ｂが第２ガイド部８側に位置するように、すなわち第１カード１、第２カード２の排出時に反時計方向に回動するように、この排出部材１０を配置してある。また特に、当接部１０ａが所定の装着部に装着された第２カード２の略中央の部分に当接するように、この排出部材１０を配置してある。
【００３０】
［第１カードの排出］
図４は本発明の第１実施形態の所定の装着部に図１に示す第１カードが装着された状態を示す平面図、図５は図４に示す状態から第１カードの排出が開始されたときの状態を示す平面図である。
【００３１】
図４に示すように、カード収納部４に第１カード１が収納され、所定の装着部に装着された状態では、第１カード１の図１に示す接触部１ｄのそれぞれが接続部６の接続端子６ａのそれぞれ対応するものに接続され、この第１実施形態のカード用コネクタ装置を介しての第１カード１に対する信号の送受信が可能となる。また、排出部材１０の当接部１０ａは、接続部６の中央位置１２と第２ガイド部８間の領域Ｓに含まれる第１カード１の前端部１ｃの部分に当接した状態に保たれる。
【００３２】
この図４に示す状態から図示しない操作手段が操作され、排出部材１０の操作部１０ｂに操作力が与えられると、図５に示すように、排出部材１０が支軸１１を中心に反時計方向に回動し、この排出部材１０の当接部１０ａが第１カード１の前端部１ｃを押圧し、これによって第１ガイド部７と第２ガイド部８のうちの主に第１ガイド部７に第１カード１が案内されて、この第１カード１の排出が行なわれる。
【００３３】
［装着された第２カードの排出］
図６は本発明の第１実施形態の所定の装着部に図２に示す第２カードが装着された状態を示す平面図、図７は図６に示す状態から第２カードの排出が開始されたときの状態を示す平面図である。
【００３４】
図６に示すように、カード収納部４に第２カード２が収納され、所定の装着部に装着された状態では、第２カード２の基体部２ｅに備えられる図２に示す接触部２ｄのそれぞれが接続部６の接続端子６ａのそれぞれ対応するものに接続され、この第１実施形態を介しての第２カード２に対する信号の送受信が可能となる。また、排出部材１０の当接部１０ａは、第２カード２の略中央の位置に当接した状態に保たれる。
【００３５】
この図４に示す状態から、図示しない操作手段が操作され、排出部材１０の操作部１０ｂに操作力が与えられると、図７に示すように、排出部材１０の当接部１０ａが第２カード２の略中央の位置を押圧し、これによって第１ガイド部７と、第２ガイド部８及び第３ガイド部９とに第２カード２が案内されて、この第２カード２の排出が行なわれる。
【００３６】
以上のように構成した第１実施形態によれば、所定の装着部に装着された特に第１カード１の排出時に、排出部材１０の当接部１０ａが第１カード１の前端部１ｃを押圧した際、その押圧点は接続端子６ａが含まれる接続部６の中央位置１２から第２ガイド部８までの領域Ｓ内に位置するので、排出部材１０の当接部１０ａの押圧力によって第１カード１が長さ寸法の長い第１ガイド部７に押し付けられる。これにより、第１カード１は主に第１ガイド部７に案内されて、傾きを生じることなく円滑に挿入口５方向に排出される。
【００３７】
なお、所定の装着部に装着された第２カード２の排出時にあっては、排出部材１０の当接部１０ａによる押圧力により、第２カード２が第１ガイド部７側に押し付けられる傾向となるが、この第２カード２に対しては、他方の側部２ｉを案内する第３ガイド部９を備えているので、第２カード２の両側部がこれらの第１ガイド部７と、第２ガイド部８及び第３ガイド部９とによって案内される。したがって、当然のことながら傾きを生じることなく円滑に挿入口５方向に排出させることができる。
【００３８】
すなわち、この第１実施形態にあっては、第１ガイド部７よりも長さの短い第２ガイド部８を有するものにあって、優れたカード排出性能を確保でき、信頼性の高い装置を実現できる。
【００３９】
また、互いに形状の異なる第１カード１と第２カード２とを選択的にカード収納部４に収納し、所定の装着部に装着させることができ、信号処理機能を向上させることができる。
【００４０】
［本発明の第２実施形態の構成］
図８は本発明のカード用コネクタ装置の第２実施形態を示す平面図である。
【００４１】
図８に示すように、この第２実施形態は、排出部材１３の操作部１３ｂを第１ガイド部７側に位置させるようにこの排出部材１３を配置してある。また、第１カード１、第２カード２の排出時に時計方向に回動するように排出部材１３を支軸１４に取付けてあり、当接部１３ａが領域Ｓに含まれる第２ガイド部８近傍に位置する第１カード１の前端部１ｃ、第２カード２の前端部２ｃの部分に当接するように、排出部材１３を配置させた構成にしてある。その他の構成は前述した第１実施形態と同等である。
【００４２】
［装着された第１カードの排出］
図９は本発明の第２実施形態の所定の装着部に図１に示す第１カードが装着された状態を示す平面図、図１０は図９に示す状態から第１カードの排出が開始されたときの状態を示す平面図である。
【００４３】
図９に示すように、カード収納部４に第１カード１が収納され、所定の装着部に装着された状態では、接続部６において第１カード１の接触部１ｄと接続端子６ａとが接続され、第１カード１に対する信号の送受信が可能となる。
【００４４】
また、排出部材１３の当接部１３ａは、領域Ｓに含まれる第２ガイド部８の近傍において、第１カード１の前端部１ｃの部分に当接した状態に保たれる。
【００４５】
この図９に示す状態から、図示しない操作手段が操作され、排出部材１３の操作部１３ｂに操作力が与えられると、図１０に示すように、排出部材１３が時計方向に回動し、この排出部材１３の当接部１３ａが、第１カード１の前端部１ｃを押圧し、これによって第１ガイド部７と第２ガイド部８のうちの主に第１ガイド部７に第１カード１が案内されて、この第１カード１の排出が行なわれる。
【００４６】
［装着された第２カードの排出］
図１１は本発明の第２実施形態の所定の装着部に図２に示す第２カードが装着された状態を示す平面図、図１２は図１１に示す状態から第２カードの排出が開始されたときの状態を示す平面図である。
【００４７】
図１１に示すように、カード収納部４に第２カード２が収納され、所定の装着部に装着された状態では、接続部６において、第２カード２の接触部２ｄと接続端子６ａとが接続され、第２カード２に対する信号の送受信が可能となる。また、排出部材１３の当接部１３ａは、領域Ｓに含まれる第２ガイド部８の近傍において、この第２カード２の基体部２ｅの前端部２ｃの部分に当接した状態に保たれる。
【００４８】
この図１１に示す状態から、図示しない操作手段が操作され、排出部材１３の操作部１３ｂに操作力が与えられると、図１２に示すように、排出部材１３が支軸１４を中心に時計方向に回動し、この排出部材１３の当接部１３ａが、第２カード２の基体部２ｅの前端部２ｃを押圧し、これによって第１ガイド部７と、第２ガイド部８及び第３ガイド部９とに第２カード２が案内されて、この第２カード２の排出が行なわれる。
【００４９】
以上のように構成した第２実施形態にあっても、第１カード１の排出時には、この第１カード１が第１ガイド部７に押し付けられて、主にこの第１ガイド部７によって案内され、また、第２カード２の排出時には、第２カード２が第１ガイド部７側に押し付けられる傾向となるものの、第２カード２の両側部が第１ガイド部７と、第２ガイド部８及び第３ガイド部９とによって案内される。したがって、前述した第１実施形態におけるのと同様に、第１カード１及び第２カード２を傾きを生じることなく円滑に挿入口５方向に排出させることができ、前述した第１実施形態と同等の効果が得られる。
【００５０】
なお、上記第１，第２の実施形態は、排出部材１０，１３の当接部１０ａ，１３ａを、第１カード１及び第２カード２の前端部１ｃ，２ｃに対向する面が、前端部１ｃ，２ｃのそれぞれに沿うように形成される平坦面となる突出形状に形成してあるが、本発明は、このように構成することには限られず、これらの当接部１０ａ，１３ａの第１カード１及び第２カード２の前端部１ｃ，２ｃに対向する面を、例えばカード装着部４方向に向って凸となる曲面に形成してもよい。またこの場合、当接部１０ａ，１３ａの曲面が形成される領域を、例えば領域Ｓに略等しくなるように十分に長く設定してもよい。
【００５１】
このように当接部１０ａ，１３ａをカード収納部４方向に凸となる曲面に構成するものでは、その曲面の形状寸法を適宜に設定することにより、カード排出時の当接部１０ａ，１３ａと、第１カード１及び第２カード２との接触点を、排出部材１０，１３の回動量に応じて支軸１１，１４から離れる方向に徐々に移動させることができる。これにより、例えばカード排出開始時には、その接触点の位置を支軸１１，１４に近い位置とすることができ、当接部１０ａ，１３ａが第１カード１の前端部１ｃ、第２カード２の前端部２ｃに与えるカード排出開始時の押圧力を大きく確保することが可能となる。したがって、優れたカード排出性能が得られる。
【図面の簡単な説明】
【００５２】
【図１】本発明のカード用コネクタ装置の実施形態に使用される第１カードの説明図で、（ａ）図は平面図、（ｂ）図は側面図、（ｃ）図は背面図、（ｄ）図は要部側断面図である。
【図２】本発明の実施形態に使用される第２カードの説明図で、（ａ）図は平面図、（ｂ）図は側面図、（ｃ）図は背面図、（ｄ）図は要部側断面図である。
【図３】本発明のカード用コネクタ装置の第１実施形態を示す図で、（ａ）図は平面図、（ｂ）図は正面図である。
【図４】本発明の第１実施形態の所定の装着部に図１に示す第１カードが装着された状態を示す平面図である。
【図５】図４に示す状態から第１カードの排出が開始されたときの状態を示す平面図である。
【図６】本発明の第１実施形態の所定の装着部に図２に示す第２カードが装着された状態を示す平面図である。
【図７】図６に示す状態から第２カードの排出が開始されたときの状態を示す平面図である。
【図８】本発明のカード用コネクタ装置の第２実施形態を示す平面図である。
【図９】本発明の第２実施形態の所定の装着部に図１に示す第１カードが装着された状態を示す平面図である。
【図１０】図９に示す状態から第１カードの排出が開始されたときの状態を示す平面図である。
【図１１】本発明の第２実施形態の所定の装着部に図２に示す第２カードが装着された状態を示す平面図である。
【図１２】図１１に示す状態から第２カードの排出が開始されたときの状態を示す平面図である。
【図１３】従来技術から考えられるカード用コネクタ装置の構成を示す平面図である。
【図１４】図１３に示すカード用コネクタ装置における不具合点を説明する図である。
【符号の説明】
【００５３】
１    第１カード
１ａ  上面
１ｂ  下面
１ｃ  前端部
１ｄ  接触部
１ｅ  側部
１ｆ  側部
２    第２カード
２ａ  上面
２ｂ  下面
２ｃ  前端部
２ｄ  接触部
２ｅ  基体部
２ｆ  張出し部
２ｇ  側部
２ｈ  側部
２ｉ  側部
３    ハウジング
４    カード収納部
５    挿入口
６    接続部
６ａ  接続端子
７    第１ガイド部
８    第２ガイド部
９    第３ガイド部
１０    排出部材
１０ａ  当接部
１０ｂ  操作部
１１    支軸
１２    中央位置
１３    排出部材
１３ａ  当接部
１３ｂ  操作部
１４    支軸
Ｌ１    幅寸法
Ｌ２    幅寸法
Ｌ３    長さ寸法
Ｌ４    長さ寸法
ｔ      厚さ寸法
Ｓ      領域
Ｓ１    間隔寸法
Ｓ２    幅寸法
【図１】
2005268182.tif 000003
【図２】
2005268182.tif 000004
【図３】
2005268182.tif 000005
【図４】
2005268182.tif 000006
【図５】
2005268182.tif 000007
【図６】
2005268182.tif 000008
【図７】
2005268182.tif 000009
【図８】
2005268182.tif 000010
【図９】
2005268182.tif 000011
【図１０】
2005268182.tif 000012
【図１１】
2005268182.tif 000013
【図１２】
2005268182.tif 000014
【図１３】
2005268182.tif 000015
【図１４】
2005268182.tif 000016